(57)【要約】【課題】電子機器が行う各処理の競合を防止しつつ、画像切り替えをスムーズに行う。【解決手段】表示装置（１）と制御装置（３）とを備えた電子機器（１００）であって、制御装置（３）は、表示装置（１）の表示領域のうち操作体（５０）によってスワイプおよびフリックの少なくとも一方が行われる第２の表示領域（１２）にてスワイプまたはフリックを検知した場合、前記表示装置の表示領域のうちアプリケーションソフトウェアの起動を表すタスク画像を表示する第１の表示領域（１１）の表示を、第１のタスク画像（Ｂ）から第２のタスク画像（Ａ、Ｃ）に切り替える。【選択図】図１
2020067744.tif 000002
【特許請求の範囲】
【請求項１】
少なくとも１つの表示装置と、少なくとも１つの制御装置と、を備えた電子機器であって、
前記制御装置は、前記表示装置の表示領域のうち操作体によってスワイプおよびフリックの少なくとも一方が行われる第２の表示領域にて前記スワイプまたは前記フリックを検知した場合、前記表示装置の表示領域のうちアプリケーションソフトウェアの起動を表すタスク画像を表示する第１の表示領域の表示を、検知前の第１のタスク画像から前記第１のタスク画像と異なる第２のタスク画像に切り替える画像切替処理を実行する、電子機器。
【請求項２】
前記第２の表示領域には、ステータスバーが表示され、
前記制御装置は、前記画像切替処理として、前記第１の表示領域の表示を、前記第１のタスク画像から前記第２のタスク画像にスクロールする、請求項１に記載の電子機器。
【請求項３】
前記制御装置は、前記画像切替処理において、
前記第２の表示領域における、前記操作体の接触が最初に検知された第１の箇所から前記操作体の接触が最後に検知された第２の箇所までの距離と、閾値とを比較することにより、前記第２の表示領域において前記スワイプまたは前記フリックの少なくとも一方が行われたか否かを判定する、請求項１または２に記載の電子機器。
【請求項４】
前記制御装置は、前記画像切替処理として、前記第１の表示領域の表示を、前記第１のタスク画像から前記第２のタスク画像にスクロールし、
前記スクロールの方向は、前記第２の表示領域で行われた前記スワイプの方向、または前記第２の表示領域で行われた前記フリックの方向と同じである、請求項１から３のいずれか１項に記載の電子機器。
【請求項５】
前記第２の表示領域は、前記表示領域のうち、前記電子機器の筐体における短手側の端部に対応する周縁領域に位置している、請求項１から４のいずれか１項に記載の電子機器。
【請求項６】
電子機器を制御するための制御装置であって、
前記電子機器に備えられた少なくとも１つの表示装置の表示領域のうち、操作体によってスワイプおよびフリックの少なくとも一方が行われる第２の表示領域への、前記操作体による前記スワイプまたは前記フリックを検知する操作入力処理部と、
前記操作入力処理部が前記スワイプまたは前記フリックを検知した場合に、前記表示装置の表示領域のうちアプリケーションソフトウェアの起動を表すタスク画像を表示する第１の表示領域の表示を、検知前の第１のタスク画像から前記第１のタスク画像と異なる第２のタスク画像に切り替える画像切替部と、を備えた、制御装置。
【請求項７】
少なくとも１つの表示装置と、少なくとも１つの制御装置と、を備えた電子機器を制御するための制御方法であって、
前記表示装置が前記表示装置の表示領域のうち操作体によってスワイプおよびフリックの少なくとも一方が行われる第２の表示領域にて前記スワイプまたは前記フリックを検知した場合、前記表示装置の表示領域のうちアプリケーションソフトウェアの起動を表すタスク画像を表示する第１の表示領域の表示を、検知前の第１のタスク画像から前記第１のタスク画像と異なる第２のタスク画像に切り替える画像切替ステップを含んだ、制御方法。
【請求項８】
請求項１に記載の電子機器における制御装置としてコンピュータを機能させるための制御プログラム。
【発明の詳細な説明】
【技術分野】
【０００１】
本発明は、電子機器、制御装置、制御方法および制御プログラムに関する。
【背景技術】
【０００２】
従来から、スマートフォンをはじめとする、表示部とタッチパネルとが一体化した電子機器が普及しており、タッチパネルを用いた操作入力も一般的になっている。このような電子機器の表示画面には、起動・実行中のアプリケーションソフトウェアがタスク画像として表示される。このタスク画像を切り替える場合、従来は、電子機器にインストールされたアプリケーションソフトウェアの一覧を表示するマルチタスク画像を一旦表示させた後、当該一覧の中から所望のアプリケーションソフトウェアを選択する必要があった。
【０００３】
上述の画像切り替えでは、タスク画像の切り替えに時間が掛かり、ユーザが煩わしさを感じるという問題があった。この問題を解決するために、例えば、非特許文献１には、スマートフォンの表示画面の端からスワイプまたはフリックを行うことで、表示画面に表示されるタスク画像を切り替える技術が開示されている。
【先行技術文献】
【非特許文献】
【０００４】
【非特許文献１】[APP][2.1+]Switchr-App Switching Revolutionized、［平成３０年１０月１日検索］、インターネット＜ＵＲＬ：https://forum.xda-developers.com/showthread.php?t=2477580＞
【発明の概要】
【発明が解決しようとする課題】
【０００５】
しかしながら、非特許文献１に開示されたタスク画像の切り替えでは、スワイプまたはフリックの最中にユーザの指がアイコン等が表示されている表示箇所と接触し、当該アイコン等に対応するアプリケーションソフトウェアが実行されてしまうという問題があった。すなわち、タスク画像を切り替える処理と、アイコン等に対応するアプリケーションソフトウェアが実行する処理とが競合するという問題があった。
【０００６】
本発明の一態様は上記の問題点に鑑みてなされたものであり、その目的は、電子機器が行う各処理の競合を防止しつつ、画像切り替えをスムーズに行うことにある。
【課題を解決するための手段】
【０００７】
前記の課題を解決するために、本発明の一態様に係る電子機器は、少なくとも１つの表示装置と、少なくとも１つの制御装置と、を備えた電子機器であって、前記制御装置は、前記表示装置の表示領域のうち操作体によってスワイプおよびフリックの少なくとも一方が行われる第２の表示領域にて前記スワイプまたは前記フリックを検知した場合、前記表示装置の表示領域のうちアプリケーションソフトウェアの起動を表すタスク画像を表示する第１の表示領域の表示を、検知前の第１のタスク画像から前記第１のタスク画像と異なる第２のタスク画像に切り替える画像切替処理を実行する。
【０００８】
前記の課題を解決するために、本発明の一態様に係る制御装置は、電子機器を制御するための制御装置であって、前記電子機器に備えられた少なくとも１つの表示装置の表示領域のうち、操作体によってスワイプおよびフリックの少なくとも一方が行われる第２の表示領域への、前記操作体による前記スワイプまたは前記フリックを検知する操作入力処理部と、前記操作入力処理部が前記スワイプまたは前記フリックを検知した場合に、前記表示装置の表示領域のうちアプリケーションソフトウェアの起動を表すタスク画像を表示する第１の表示領域の表示を、検知前の第１のタスク画像から前記第１のタスク画像と異なる第２のタスク画像に切り替える画像切替部と、を備えている。
【０００９】
前記の課題を解決するために、本発明の一態様に係る制御方法は、少なくとも１つの表示装置と、少なくとも１つの制御装置と、を備えた電子機器を制御するための制御方法であって、前記表示装置が前記表示装置の表示領域のうち操作体によってスワイプおよびフリックの少なくとも一方が行われる第２の表示領域にて前記スワイプまたは前記フリックを検知した場合、前記表示装置の表示領域のうちアプリケーションソフトウェアの起動を表すタスク画像を表示する第１の表示領域の表示を、検知前の第１のタスク画像から前記第１のタスク画像と異なる第２のタスク画像に切り替える画像切替ステップを含んでいる。
【発明の効果】
【００１０】
本発明の一態様によれば、電子機器が行う各処理の競合を防止しつつ、タスク画像の切り替えをスムーズに行うことができる。
【図面の簡単な説明】
【００１１】
【図１】本発明の一実施形態に係るスマートフォンの機能ブロック図である。
【図２】第１のタスク画像から第２のタスク画像への切り替え態様の一例を示す図である。
【図３】第１のタスク画像から第２のタスク画像への切り替え態様の他の例を示す図である。
【図４】本発明の一実施形態に係る制御装置による、画像切替処理の一例を示すフローチャートである。
【図５】上記制御装置による画像切替処理の他の例を示すフローチャートである。
【発明を実施するための形態】
【００１２】
本発明の一実施形態について、図１〜図５を参照しながら詳細に説明する。以下、本発明の一実施形態に係る電子機器としてスマートフォンを例に挙げて説明する。また、以下の説明において、紙面向かって、（i）右方向を単に「右方向」、（ii）左方向を単に「左方向」、（iii）上方向を単に「上方向」、および（iv）下方向を単に「下方向」と表記する。
【００１３】
なお、本発明の一態様に係る電子機器としては、スマートフォンの他、携帯型ゲーム機、タブレット端末、および冷蔵庫等の家電製品などが含まれる。また、本発明の一態様に係る電子機器が備える表示装置、制御装置等の各装置については、単数であってもよいし複数であってもよい。
【００１４】
〔スマートフォンの機能的構成〕
（スマートフォンの主要部の構成）
スマートフォン（電子機器）１００は、パーソナルコンピュータ・ＰＤＡ（Personal Digital Assistant：携帯情報端末）等の機能を併せ持った多機能の携帯電話機である。スマートフォン１００は、図１に示すように、表示装置１、記憶装置２および制御装置３を備えている。
【００１５】
表示装置１は、表示部１０およびタッチパネル２０を備えている。具体的には、表示装置１は、表示部１０にタッチパネル２０が重畳された構造になっている。表示部１０は、ＬＣＤ、有機ＥＬ等のディスプレイであり、表示領域に各種の情報・画像を表示する。例えば、表示部１０には、制御装置３の制御に従って、タスク画像等が表示される。また、表示部１０の表示画面はタッチパネル２０が操作体５０によるスライド操作等の入力操作を受け付ける入力面にもなっている。
【００１６】
タスク画像は、スマートフォン１００にインストールされた各種アプリケーションソフトウェアの起動を表す画像である。操作体５０としては、ユーザの指等を例示することができる。また、本明細書では、スワイプおよびフリックの少なくとも一方を包括して「スライド操作」と称する。
【００１７】
制御装置３は、上記タスク画像を表示するとき、表示部１０の表示領域の一部を、当該タスク画像を表示する第１の表示領域１１とする。また、表示部１０の表示領域の他の一部を、操作体５０によってスライド操作が行われる（操作体５０によるスライド操作を受け付ける）第２の表示領域１２とする（図２および図３参照）。
【００１８】
タッチパネル２０は、操作体５０の接触（タッチ）または近接（ホバー）を検出することで、ユーザの入力操作を受け付ける。具体的には、タッチパネル２０は、操作体５０による第１の表示領域１１でのタッチ操作およびスライド操作を検知する。また、タッチパネル２０は、第２の表示領域１２でスライド操作を検知した場合、第２の表示領域１２における、第１の箇所（不図示）の座標値および第２の箇所（不図示）の座標値を、検知結果とともに後述する操作入力処理部３０に出力する。
【００１９】
第１の箇所は、第２の表示領域１２において、操作体５０の接触が最初に検知された箇所である。また、第２の箇所は、第２の表示領域１２において、操作体５０の接触が最後に検知された箇所である。
【００２０】
なお、本明細書中の「タッチ操作」には、タップ、長押し、ピンチおよびホバーなどの操作が含まれるものとする。また、「検知結果」には、第１の表示領域１１で行われた入力操作の種類、および第１の表示領域１１における入力操作の位置が含まれる。
【００２１】
記憶装置２には、制御装置３が実行する各種のプログラム、および当該プログラムの実行に使用される各種のデータが格納されている。また、記憶装置２には、第２の表示領域１２でスライド操作が行われたか否かを判定する際に用いる閾値のデータも格納されている。
【００２２】
なお、記憶装置２は、例えば、ＲＯＭ（Read Only Memory）またはＲＡＭ（Random Access Memory）で構成されていてもよい。また、記憶装置２は、例えば制御装置３に内蔵されてもよいし、スマートフォン１００の外部に具備されてもよい。
【００２３】
制御装置３は、スマートフォン１００の各部を統括的に制御する。制御装置３の機能は、記憶装置２に格納されたプログラムを、ＣＰＵ（Central Processing Unit）が実行することで実現されてもよい。
【００２４】
また、制御装置３は、表示装置１（具体的にはタッチパネル２０）が第２の表示領域１２でのスライド操作を検知した場合、第１の表示領域１１の表示を、検知前の第１のタスク画像Ｂから当該第１のタスク画像Ｂと異なる第２のタスク画像Ａ（またはＣ）にスクロールする（切り替える）画像切替処理を実行する（図２および図３参照）。
【００２５】
なお、制御装置３は、例えばＣＰＵから独立してスマートフォン１００に内蔵されていてもよいし、スマートフォン１００の外部の情報処理装置に搭載されていてもよい。制御装置３が外部の情報処理装置に搭載される場合、タッチパネル２０の検知結果に係る情報を情報処理装置とスマートフォン１００との間で送受信することにより、第１・第２の表示領域１１・１２の表示が制御される。
【００２６】
（制御装置）
制御装置３は、図１に示すように、操作入力処理部３０、表示制御部（画像切替部）３１、タスク管理部３２およびタスク処理実行部３３を備えている。操作入力処理部３０は、タッチパネル２０から出力された検知結果に基づいて、第１の表示領域１１での入力操作（タッチ操作またはスライド操作）に対応する処理を決定する。操作入力処理部３０は、決定した処理の内容を、操作入力情報として表示制御部３１に出力する。
【００２７】
ここで、前記のメモリには、各種のタッチ操作およびスライド操作と、スマートフォン１００が実行する各種の処理とを対応付けたデータテーブル（不図示）が格納されている。操作入力処理部３０は、このデータテーブルとタッチパネル２０からの検知結果に基づいて、第１の表示領域１１での入力操作に対応する処理を決定する。なお、前記のデータテーブルは記憶装置２に格納されていてもよく、この場合は、前記の処理を決定する際に操作入力処理部３０が記憶装置２から前記のデータテーブルを呼び出すようにしてもよい。
【００２８】
また、操作入力処理部３０は、タッチパネル２０から出力された、第１の箇所の座標値および第２の箇所の座標値に基づいて、第１の箇所から第２の箇所までの距離を算出する。具体的には、前記２つの座標値に基づいて第１の箇所と第２の箇所とを直線で結んだ線分の長さを算出し、当該線分の長さを第１の箇所から第２の箇所までの距離とする。
【００２９】
なお、第１の箇所から第２の箇所までの距離の算出方法はこの場合に限定されず、任意の方法を採用することができる。また、例えば、操作体５０の実際の移動を表す軌跡（直線とは限らない）の長さを第１の箇所から第２の箇所までの距離としてもよい。さらに付言すれば、操作入力処理部３０は、タッチパネル２０から検知結果を取得して、第２の表示領域１２への操作体５０によるスライド操作を正式に検知するものであればよい。
【００３０】
さらに、操作入力処理部３０は、内蔵のメモリ（不図示）に格納された閾値と算出された距離とを比較することにより、第２の表示領域１２において基準スライド操作が行われたか否かを判定する。例えば閾値よりも算出された距離の方が値が大きい場合、操作入力処理部３０は第２の表示領域１２で基準スライド操作が行われたと判定する。基準スライド操作は、第１の表示領域１１に第２のタスク画像Ａ（またはＣ）をスクロール表示するために行われるスライド操作である。
【００３１】
このように、第１の箇所から第２の箇所までの距離と閾値とを比較して基準スライド操作の有無を判定することにより、スライド操作の誤検知を防止して第１のタスク画像Ｂから第２のタスク画像Ａ（またはＣ）へのスクロール表示を的確に行うことができる。
【００３２】
操作入力処理部３０は、判定結果を表示制御部３１に出力する。なお、閾値として、例えばスワイプ用の第１の閾値とフリック用の第２の閾値とを前記のメモリに格納してもよい。
【００３３】
表示制御部３１は、操作入力処理部３０から出力された操作入力情報に基づいて第１の表示領域１１の表示を制御する。具体的には、表示制御部３１は、ユーザが前記の入力操作に対応する処理の起動・実行等を認識できるような画像が表示されるよう、第１の表示領域１１の表示を制御する。
【００３４】
また、表示制御部３１は、操作入力処理部３０から第２の表示領域１２で基準スライド操作が行われた旨の判定結果を受け付けた場合、第１の表示領域１１の表示をスクロールさせて、第１のタスク画像Ｂから第２のタスク画像Ａ（またはＣ）に切り替える（図２および図３参照）。
【００３５】
第１のタスク画像Ｂは、表示装置１（具体的には、タッチパネル２０）によって第２の表示領域１２でのスライド操作が検知される前に、第１の表示領域１１に表示されていたタスク画像である。
【００３６】
第２のタスク画像ＡおよびＣは、第２の表示領域１２でのスライド操作に追従して第１の表示領域１１にスクロール表示されるタスク画像である。第２のタスク画像Ａは、第１のタスク画像Ｂが表示される直前に起動していたアプリケーションソフトウェアに対応するタスク画像である。第２のタスク画像Ｃは、第１のタスク画像Ｂに対応するアプリケーションソフトウェアの実行が完了した直後に起動した、アプリケーションソフトウェアに対応するタスク画像である。また、基準スライド操作の方向に応じて、第２のタスク画像ＡまたはＣのいずれか一方がスクロール表示される（詳細は後述）。
【００３７】
表示制御部３１は、操作入力情報に基づいて第１の表示領域１１の表示を切り替えた場合、あるいは第１の表示領域１１に第２のタスク画像ＡまたはＣのいずれか一方をスクロール表示した場合、これらの表示制御結果をタスク管理部３２に出力する。
【００３８】
タスク管理部３２は、各タスク画像に対応するアプリケーションソフトウェアの起動履歴を管理する。前記の起動履歴自体は、例えば記憶装置２に格納してもよい。また、タスク管理部３２は、表示制御部３１から表示制御結果を受け付けた場合、表示制御後に第１の表示領域１１に表示されたタスク画像に対応する処理の実行を決定する。タスク管理部３２は、決定結果をタスク処理実行部３３に出力する。
【００３９】
タスク処理実行部３３は、タスク管理部３２から出力された決定結果に基づいて、表示制御後に第１の表示領域１１に表示されたタスク画像に対応する処理を実行する。タスク処理実行部３３は、処理の実行結果を表示制御部３１に出力する。前記の実行結果を受け付けた表示制御部３１は、当該実行結果が第１の表示領域１１（第２の表示領域１２でもよい）の表示に反映されるように、第１の表示領域１１（第２の表示領域１２でもよい）の表示を制御する。
【００４０】
〔第１のタスク画像から第２のタスク画像への切り替え態様の例〕
図２および図３に示すように、第２の表示領域１２で操作体５０によるスライド操作が行われた場合、当該スライド操作の方向に応じて、第２のタスク画像ＡまたはＣのいずれか一方がスクロール表示される。なお、図２および図３のいずれの例においても、基準スライド操作が行われるものとする。
【００４１】
表示部１０の表示領域は、図２および図３に示すように、スマートフォン１００を平面視した場合における当該スマートフォン１００の筐体の形状と略同一の、矩形形状となっている。第２の表示領域１２は、表示領域のうち、スマートフォン１００の筐体における短手側の端部に対応する周縁領域に位置している。また、第２の表示領域１２は、前記の周縁領域の延伸方向に沿って延伸する矩形形状となっており、この第２の表示領域１２にステータスバーが表示される。
【００４２】
このように、第２の表示領域１２が前記の周縁領域に位置することにより、例えばユーザがスマートフォン１００を把持した状態でスライド操作を容易に行うことができ、スマートフォン１００の操作性を向上させることができる。
【００４３】
操作体５０によるスライド操作が、第２の表示領域１２の延伸方向に沿って、言い換えればステータスバーをなぞるように行われた場合、第２のタスク画像ＡまたはＣのいずれか一方が第１の表示領域１１にスクロール表示される。
【００４４】
例えば、図２に示すように、操作体５０が第２の表示領域１２の中央部から右方向にスワイプした場合、第２のタスク画像Ａが、操作体５０のスワイプに追従する形で、第１の表示領域１１における左側の周縁領域から右方向にスクロールされる。操作体５０によるスワイプの継続中は、第１の表示領域１１に第１のタスク画像Ｂおよび第２のタスク画像Ａの両方が表示される。操作体５０がスワイプを継続しつつ第２の表示領域１２の右端に到達した場合、第２のタスク画像Ａのスクロールが完了し、第１の表示領域１１には第２のタスク画像Ａのみが表示される。
【００４５】
また例えば、図３に示すように、操作体５０が第２の表示領域１２の中央部から左方向にスワイプした場合、第２のタスク画像Ｃが、操作体５０のスワイプに追従する形で、第１の表示領域１１における右側の周縁領域から左方向にスクロールされる。操作体５０によるスワイプの継続中は、第１の表示領域１１に第１のタスク画像Ｂおよび第２のタスク画像Ｃの両方が表示される。操作体５０がスワイプを継続しつつ第２の表示領域１２の左端に到達した場合、第２のタスク画像Ｃのスクロールが完了し、第１の表示領域１１には第２のタスク画像Ｃのみが表示される。
【００４６】
上述した図２および図３のいずれの例においても、スワイプの方向とスクロールの方向とが同じになっている。これにより、ユーザが意図しないタスク画像がスクロール表示されるのを事前に気付き易くなる。そのため、意図しないスクロール表示を効果的に防止することができる。ただし、スワイプを含むスライド操作の方向とスクロールの方向とが同じである必要は必ずしもない。例えば、スライド操作の方向とスクロールの方向とが逆であってもよい。
【００４７】
なお、第１のタスク画像Ｂから第２のタスク画像Ａ（またはＣ）への切り替えは、図２および図３に示すようなスクロールに限定されない。スクロールの他、例えば、カット、フェードまたはワイプなどの画像切り替えの態様を採用してもよい。
【００４８】
〔制御装置による画像切替処理〕
図４に示すように、スマートフォン１００が起動されると（開始）、表示制御部３１は、操作入力処理部３０から出力された操作入力情報に基づいて第１のタスク画像Ｂを表示する（Ｓ１０１）。次に、タッチパネル２０は、操作体５０による第２の表示領域１２（ステータスバー）への接触（タッチ）を検知する（Ｓ１０２）。
【００４９】
第２の表示領域１２への接触を初めて検知した場合（Ｓ１０２でＹＥＳ）、タッチパネル２０は、初めて接触を検知した箇所、すなわち第１の箇所の座標値を、検知結果として操作入力処理部３０に出力する。また、タッチパネル２０は、操作体５０による第２の表示領域１２（ステータスバー）へのスライド操作を検知する（Ｓ１０３）。一方、第２の表示領域１２への接触を検知しなかった場合（Ｓ１０２でＮＯ）、タッチパネル２０は再びＳ１０２の処理を実行する。
【００５０】
第２の表示領域１２へのスライド操作を検知した場合、当該スライド操作が右方向になされているのであれば（Ｓ１０３でＹＥＳ（右方向））、タッチパネル２０は、右方向のスライド操作を検知した旨の検知結果を表示制御部３１に出力する。前記の検知結果を受け付けた表示制御部３１は、第１の表示領域１１において、第１のタスク画像Ｂから第２のタスク画像Ａへのスクロールを開始する（Ｓ１０４）。
【００５１】
一方、左方向のスライド操作を検知した場合（Ｓ１０３でＹＥＳ（左方向））、タッチパネル２０は、左方向のスライド操作を検知した旨の検知結果を表示制御部３１に出力する。前記の検知結果を受け付けた表示制御部３１は、第１の表示領域１１において、第１のタスク画像Ｂから第２のタスク画像Ｃへのスクロールを開始する（Ｓ１０５）。第２の表示領域１２へのスライド操作を検知しなかった場合（Ｓ１０３でＮＯ）、タッチパネル２０は再びＳ１０２の処理を実行する。
【００５２】
次に、操作入力処理部３０は、タッチパネル２０が第２の表示領域１２でのスライド操作を最後に検知した箇所、すなわち第２の箇所の座標値を受け付けて、第１の箇所から第２の箇所までの距離（基準距離）を算出する。そして、操作入力処理部３０は、基準距離と閾値とを比較する（Ｓ１０６）。
【００５３】
基準距離が閾値よりも大きい場合（Ｓ１０６でＹＥＳ）、操作入力処理部３０は、第２の表示領域１２で基準スライド操作が行われたと判定し、判定結果を表示制御部３１に出力する。判定結果を受け付けた表示制御部３１は、第１のタスク画像Ｂから第２のタスク画像Ａ（または第２のタスク画像Ｃ）へのスクロールを継続して、第１の表示領域１１でのタスク画像の切り替えを完了させる（Ｓ１０７）。
【００５４】
一方、基準距離が閾値以下の場合（Ｓ１０６でＮＯ）、操作入力処理部３０は、第２の表示領域１２で基準スライド操作が行われなかったと判定し、判定結果を表示制御部３１に出力する。判定結果を受け付けた表示制御部３１は、第１のタスク画像Ｂから第２のタスク画像Ａ（または第２のタスク画像Ｃ）へのスクロールを中止して、第１の表示領域１１に第１のタスク画像Ｂを再び表示させる。その後、タッチパネル２０が再びＳ１０２の処理を実行する。
【００５５】
〔変形例〕
（第２の表示領域）
第２の表示領域１２は、図２および図３に示すような形状・配置に限定されない。例えば、第２の表示領域１２は、表示領域のうち、スマートフォン１００の筐体における長手側の端部に対応する周縁領域に位置し、当該周縁領域の延伸方向に沿って延伸する矩形形状となっていてもよい。さらに付言すれば、第２の表示領域１２は矩形形状でなくてもよい。換言すれば、第２の表示領域１２は、第１の表示領域１１と物理的に分離され、第２の表示領域１２でスライド操作を行ってもタスク画像に対応するアプリケーションソフトウェアの起動・実行に影響を与えないような形状・配置になっていればよい。
【００５６】
上記の場合、第２の表示領域１２でのスライド操作は、例えば当該第２の表示領域１２の延伸方向に沿って行われてもよい。この変形例からも分かるように、第２の表示領域１２でのスライド操作の操作方向は特定方向に限定されず、第２の表示領域１２の形状・配置等に応じて適宜変更してもよい。
【００５７】
また、第２の表示領域１２に表示される画像はステータスバーでなくてもよい。第２の表示領域１２には、当該第２の表示領域１２でスライド操作を行っても、タスク画像に対応するアプリケーションソフトウェアによって実行される処理との処理の競合が生じないような画像が表示されていればよい。
【００５８】
（基準スライド操作の有無の判定）
第２の表示領域１２で基準スライド操作が行われたか否かを判定する方法としては、第１の箇所から第２の箇所までの距離と閾値とを比較する方法の他、例えば、スライド操作に基づく操作体５０の移動時間と他の閾値とを比較する方法を採用してもよい。
【００５９】
図５のフローチャートは、前記の移動時間と他の閾値とを比較する方法を採用した画像切替処理の例を示すものである。Ｓ２０１〜Ｓ２０５、およびＳ２０７の各処理は、図４のフローチャートにおけるＳ１０１〜Ｓ１０５、およびＳ１０７の各処理と同様であるため、その説明を省略する。
【００６０】
第１の表示領域１１において、第１のタスク画像Ｂから第２のタスク画像Ａ（または第２のタスク画像Ｃ）へのスクロールが開始された後（Ｓ２０４またはＳ２０５）、操作入力処理部３０は、第２の表示領域１２でのスライド操作に対応する操作体５０の移動時間を算出する。そして、操作入力処理部３０は、移動時間と他の閾値とを比較する（Ｓ２０６）。
【００６１】
前記の移動時間の決定については、次に挙げるような方法が想定される。例えば、制御装置３に時間計測部（不図示）を設けてスライド操作の検知開始時刻と検知終了時刻と常時モニターし、これらのモニター結果を受け付けた操作入力処理部３０が検知終了時刻と検知開始時刻との差分を前記の移動時間として算出してもよい。なお、前記の差分の算出は時間計測部が行ってもよい。
【００６２】
また例えば、時間計測部が、スライド操作の始点となる最初の接触を検知した時点から時間計測を開始し、スライド操作の終点となる最後の接触を検知した時点で時間計測を終了して、終了時点までの計測時間を前記の移動時間としてもよい。
【００６３】
〔ソフトウェアによる実現例〕
制御装置３の制御ブロック（特に操作入力処理部３０および表示制御部３１）は、集積回路（ＩＣチップ）等に形成された論理回路（ハードウェア）によって実現してもよいし、ソフトウェアによって実現してもよい。
【００６４】
後者の場合、制御装置３は、各機能を実現するソフトウェアであるプログラムの命令を実行するコンピュータを備えている。このコンピュータは、例えば少なくとも１つのプロセッサを備えていると共に、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵを用いることができる。前記記録媒体としては、「一時的でない有形の媒体」、例えば、ＲＯＭ等の他、テープ、ディスク、カード、半導体メモリ、プログラマブルな論理回路などを用いることができる。また、前記プログラムを展開するＲＡＭなどをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００６５】
〔まとめ〕
本発明の態様１に係る電子機器（スマートフォン１００）は、少なくとも１つの表示装置（１）と、少なくとも１つの制御装置（３）と、を備えた電子機器であって、前記制御装置は、前記表示装置の表示領域のうち操作体（５０）によってスワイプおよびフリックの少なくとも一方が行われる第２の表示領域（１２）にて前記スワイプまたは前記フリックを検知した場合、前記表示装置の表示領域のうちアプリケーションソフトウェアの起動を表すタスク画像（Ａ、Ｂ、Ｃ）を表示する第１の表示領域（１１）の表示を、検知前の第１のタスク画像（Ｂ）から前記第１のタスク画像と異なる第２のタスク画像（Ａ、Ｃ）に切り替える画像切替処理を実行する。
【００６６】
前記の構成によれば、タスク画像を表示する第１の表示領域と物理的に分離した第２の表示領域でスワイプおよびフリックの少なくとも一方（以下、「スワイプ等」と略記）が行われる。したがって、例えば第１の表示領域でスワイプ等が行われたときに、表示されたタスク画像に対応するアプリケーションソフトウェアが意図せず実行されてしまうことを防止できる。そのため、タスク画像に対応するアプリケーションソフトウェアによって実行される処理（以下、「第１の処理」）と、スワイプ等を検知することによって実行される処理（以下、「第２の処理」）との競合を防止して、これら２つの処理をユーザの意図通りに実行させることができる。
【００６７】
また、前記の構成によれば、第２の表示領域をスワイプ等するだけでタスク画像が切り替わるため、画像切り替えをスムーズに行うことができ、操作性が向上した電子機器を実現することができる。
【００６８】
本発明の態様２に係る電子機器は、前記態様１において、前記第２の表示領域には、ステータスバーが表示され、前記制御装置は、前記画像切替処理として、前記第１の表示領域の表示を、前記第１のタスク画像から前記第２のタスク画像にスクロールする。
【００６９】
前記の構成によれば、第２の表示領域には、当該第２の表示領域でスワイプ等を行っても電子機器の諸機能の起動・実行に影響を及ぼさないステータスバーが表示される。そのため、第１の処理と第２の処理との競合をより確実に防止することができる。
【００７０】
また、スワイプ等における操作体の動作と、第１のタスク画像から第２のタスク画像へのスクロールとの間には動作の類似性があり、なおかつスワイプ等に追従してスクロールする。そのため、第１のタスク画像から第２のタスク画像への切り替え時の操作性を向上させることができる。さらに、第１のタスク画像から第２のタスク画像への切り替え過程を視認することができるため、意図しない画像切り替えを効果的に防止することができる。
【００７１】
本発明の態様３に係る電子機器は、前記態様１または２において、前記制御装置は、前記画像切替処理において、前記第２の表示領域における、前記操作体の接触が最初に検知された第１の箇所から前記操作体の接触が最後に検知された第２の箇所までの距離と、閾値とを比較することにより、前記第２の表示領域において前記スワイプまたは前記フリックの少なくとも一方が行われたか否かを判定する。
【００７２】
前記の構成によれば、閾値を適宜設定することにより、例えばユーザが第２の表示領域を指でタップした際に指が僅かだけスライドしたような場合に、誤って第２の表示領域がフリックを受け付けたと判定して意図しない画像切り替えが生じることを防止できる。換言すれば、スワイプ等の誤検知を防止して第１のタスク画像から第２のタスク画像への切り替えを的確に行うことができる。
【００７３】
本発明の態様４に係る電子機器は、前記態様１から３のいずれかにおいて、前記制御装置は、前記画像切替処理として、前記第１の表示領域の表示を、前記第１のタスク画像から前記第２のタスク画像にスクロールし、前記スクロールの方向は、前記第２の表示領域で行われた前記スワイプの方向、または前記第２の表示領域で行われた前記フリックの方向と同じである。
【００７４】
前記の構成によれば、スワイプ等の方向とスクロールの方向とが同じであることから、第１のタスク画像から第２のタスク画像への切り替え過程を目で追い易くなる。したがって、例えばスワイプ等の方向とスクロールの方向とが逆の場合に比べて、意図しないタスク画像に切り替わることを事前に気付き易くなる。そのため、意図しない画像切り替えをより効果的に防止することができる。
【００７５】
本発明の態様５に係る電子機器は、前記態様１から４のいずれかにおいて、前記第２の表示領域は、前記表示領域のうち、前記電子機器の筐体における短手側の端部に対応する周縁領域に位置している。
【００７６】
一般に、スマートフォンなどの携帯型の電子機器は、ユーザが電子機器の筐体における短手側の端部を把持して使用することを想定して設計されている。また、ユーザが電子機器を把持した状態でスワイプ等を行う場合は、電子機器の筐体における、ユーザの指・手のひらが接触していない側の端部に対応する表示領域でスワイプ等を行うのが最も操作性が高まる。
【００７７】
その点前記の構成によれば、第２の表示領域が周縁領域に位置している。したがって、ユーザが電子機器を把持した状態において、第２の表示領域が、電子機器の筐体における、ユーザの指・手のひらが接触していない側の端部と同じ位置に配置される可能性が高くなる。そのため、例えばユーザが電子機器を把持した状態においてスワイプ等を容易に行うことができ、操作性がより向上した電子機器を実現することができる。
【００７８】
本発明の態様６に係る制御装置（３）は、電子機器（スマートフォン１００）を制御するための制御装置であって、前記電子機器に備えられた少なくとも１つの表示装置（１）の表示領域のうち、操作体（５０）によってスワイプおよびフリックの少なくとも一方が行われる第２の表示領域（１２）への、前記操作体による前記スワイプまたは前記フリックを検知する操作入力処理部（３０）と、前記操作入力処理部が前記スワイプまたは前記フリックを検知した場合に、前記表示装置の表示領域のうちアプリケーションソフトウェアの起動を表すタスク画像（Ａ、Ｂ、Ｃ）を表示する第１の表示領域（１１）の表示を、検知前の第１のタスク画像（Ｂ）から前記第１のタスク画像と異なる第２のタスク画像（Ａ、Ｃ）に切り替える画像切替部（表示制御部３１）と、を備えている。
【００７９】
本発明の態様７に係る制御方法は、少なくとも１つの表示装置（１）と、少なくとも１つの制御装置（３）と、を備えた電子機器（スマートフォン１００）を制御するための制御方法であって、前記表示装置が前記表示装置の表示領域のうち操作体（５０）によってスワイプおよびフリックの少なくとも一方が行われる第２の表示領域（１２）にて前記スワイプまたは前記フリックを検知した場合、前記表示装置の表示領域のうちアプリケーションソフトウェアの起動を表すタスク画像（Ａ、Ｂ、Ｃ）を表示する第１の表示領域（１１）の表示を、検知前の第１のタスク画像（Ｂ）から前記第１のタスク画像と異なる第２のタスク画像（Ａ、Ｃ）に切り替える画像切替ステップを含んでいる。
【００８０】
本発明の各態様に係る制御装置は、コンピュータによって実現してもよく、この場合には、コンピュータを前記制御装置が備える各部（ソフトウェア要素）として動作させることにより前記制御装置をコンピュータにて実現させる制御装置の制御プログラム、およびそれを記録したコンピュータ読み取り可能な記録媒体も、本発明の範疇に入る。
【００８１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８２】
１  表示装置
３  制御装置
１１  第１の表示領域
１２  第２の表示領域
３０  操作入力処理部
３１  表示制御部（画像切替部）
５０  操作体
１００  スマートフォン（電子機器）
Ｂ  第１のタスク画像（タスク画像）
Ａ、Ｃ  第２のタスク画像（タスク画像）
【図１】
2020067744.tif 000003
【図２】
2020067744.tif 000004
【図３】
2020067744.tif 000005
【図４】
2020067744.tif 000006
【図５】
2020067744.tif 000007